【手続補正書】
【提出日】平成28年10月14日(2016.10.14)
【手続補正１】
【補正対象書類名】明細書
【補正対象項目名】００２０
【補正方法】変更
【補正の内容】
【００２０】
本発明の冷蔵庫の一態様は、背面壁、側壁を有し、前面に開口部が設けられた貯蔵室を有する本体部と、前記側壁の内面を形成する内箱と前記背面壁の内面を形成する内箱とのコーナー部に形成され前記背面壁の内面よりも前面側に突出するように設けられた凸部と、前記背面壁の内面を形成する内箱と前記背面壁の外面を形成する外箱との間に設けられた平板状の真空断熱材と、前記凸部、及び前記真空断熱材と前記背面壁の内面を形成する内箱との間に充填もしくは封入されて、前記内箱と前記真空断熱材とを接着、固着、もしくは固定している第１の介在部材と、前記真空断熱材と前記外箱とを接着、固着、もしくは固定している、前記第１の介在部材とは異なる第２の介在部材と、前記凸部の側面と前記背面壁とによって形成された凹部と、前記貯蔵室の背面の少なくとも一部を覆うカバー部材と、を備え、前記凹部には前記カバー部材を取り付けるための第１の取り付け部が設けられており、前記カバー部材は前記凹部に取り付けられて風路を形成している
本発明の冷蔵庫の他の態様は、背面壁、側壁を有し、前面に開口部が設けられた貯蔵室を有する本体部と、前記側壁の内面を形成する内箱と前記背面壁の内面を形成する内箱とのコーナー部に形成され前記背面壁の内面よりも前面側に突出するように設けられた凸部と、前記背面壁の内面を形成する内箱と前記背面壁の外面を形成する外箱との間に設けられた平板状の真空断熱材と、前記凸部、及び前記真空断熱材と前記背面壁の内面を形成する内箱との間に充填もしくは封入されて、前記内箱と前記真空断熱材とを接着、固着、もしくは固定している第１の介在部材と、前記真空断熱材と前記外箱とを接着、固着、もしくは固定している、前記第１の介在部材とは異なる第２の介在部材と、前記凸部の側面と前記背面壁とによって形成された凹部と、前記貯蔵室の背面の少なくとも一部を覆うカバー部材と、前記背面壁の上部あるいは下部に設けられている機械室を除いた前記背面壁の４隅近傍に設けられ、前記第１の介在部材が注入された注入口と、を備え、前記凹部には前記カバー部材を取り付けるための第１の取り付け部が設けられており、前記カバー部材は前記凹部に取り付けられて風路を形成している。
【手続補正２】
【補正対象書類名】特許請求の範囲
【補正対象項目名】全文
【補正方法】変更
【補正の内容】
【特許請求の範囲】
【請求項１】
背面壁、側壁を有し、前面に開口部が設けられた貯蔵室を有する本体部と、
前記側壁の内面を形成する内箱と前記背面壁の内面を形成する内箱とのコーナー部に形成され前記背面壁の内面よりも前面側に突出するように設けられた凸部と、
前記背面壁の内面を形成する内箱と前記背面壁の外面を形成する外箱との間に設けられた平板状の真空断熱材と、
前記凸部、及び前記真空断熱材と前記背面壁の内面を形成する内箱との間に充填もしくは封入されて、前記内箱と前記真空断熱材とを接着、固着、もしくは固定している第１の介在部材と、
前記真空断熱材と前記外箱とを接着、固着、もしくは固定している、前記第１の介在部材とは異なる第２の介在部材と、
前記凸部の側面と前記背面壁とによって形成された凹部と、
前記貯蔵室の背面の少なくとも一部を覆うカバー部材と、
を備え、
前記凹部には前記カバー部材を取り付けるための第１の取り付け部が設けられており、
前記カバー部材は前記凹部に取り付けられて風路を形成している冷蔵庫。
【請求項２】
背面壁、側壁を有し、前面に開口部が設けられた貯蔵室を有する本体部と、
前記側壁の内面を形成する内箱と前記背面壁の内面を形成する内箱とのコーナー部に形成され前記背面壁の内面よりも前面側に突出するように設けられた凸部と、
前記背面壁の内面を形成する内箱と前記背面壁の外面を形成する外箱との間に設けられた平板状の真空断熱材と、
前記凸部、及び前記真空断熱材と前記背面壁の内面を形成する内箱との間に充填もしくは封入されて、前記内箱と前記真空断熱材とを接着、固着、もしくは固定している第１の介在部材と、
前記真空断熱材と前記外箱とを接着、固着、もしくは固定している、前記第１の介在部材とは異なる第２の介在部材と、
前記凸部の側面と前記背面壁とによって形成された凹部と、
前記貯蔵室の背面の少なくとも一部を覆うカバー部材と、
前記背面壁の上部あるいは下部に設けられている機械室を除いた前記背面壁の４隅近傍に設けられ、前記第１の介在部材が注入された注入口と、
を備え、
前記凹部には前記カバー部材を取り付けるための第１の取り付け部が設けられており、
前記カバー部材は前記凹部に取り付けられて風路を形成している冷蔵庫。
【請求項３】
前記カバー部材には、前記第１の取り付け部に取り付けられる第２の取り付け部が設けられている請求項１または請求項２に記載の冷蔵庫。
【請求項４】
前記カバー部材に固定あるいは保持されて前記風路を形成する風路部品を備え、
前記風路が前記カバー部材に取り付けられた前記風路部品で形成されている請求項１〜３のいずれか一項に記載の冷蔵庫。
【請求項５】
前記カバー部材に固定あるいは保持されて前記風路を形成する風路部品を備え、
前記風路が前記カバー部材、前記風路部品、および前記凹部を形成する前記内箱によって形成されている請求項１〜３のいずれか一項に記載の冷蔵庫。
【請求項６】
前記カバー部材が、前記風路の少なくとも一部を形成している、または前記風路の少なくとも一部を覆っている請求項１〜５のいずれか一項に記載の冷蔵庫。
【請求項７】
前記風路の断面形状が幅方向に細長い楕円形状である請求項１〜６のいずれか一項に記載の冷蔵庫。
【請求項８】
前記第１の取り付け部が前面側に突出した突起部であり、
前記カバー部材を、前記突起部に固定あるいは保持するネジ、引っ掛け構造、嵌め込構造、または凹凸嵌合構造を備えた請求項３に記載の冷蔵庫。
【請求項９】
前記第１の取り付け部が、前記凹部を形成する前記内箱とは別体である請求項３に記載の冷蔵庫。
【請求項１０】
前記第１の介在部材は、前記凹部において、前記凹部を形成する内箱と前記真空断熱材との間の空間の一部範囲あるいは全範囲に充填、封入、もしくは塗布されている請求項１〜９のいずれか一項に記載の冷蔵庫。
【請求項１１】
前記凸部が横断面において、斜辺部を有する略三角形状をしており、前記注入口が前記斜辺部と対向する位置であって前記斜辺部と前記背面壁とが接続される部位の範囲に設けられていることを特徴とする請求項２〜１０のいずれか一項に記載の冷蔵庫。
【請求項１２】
前記注入口の幅方向内側端部が、前記凹部と同一高さ位置において前記凸部の範囲に設けられている請求項２〜１１のいずれか一項に記載の冷蔵庫。
【請求項１３】
前記側壁の厚さをＴ１、前記凸部の幅方向長さをＡとし、前記背面壁の幅方向端部から前記注入口の幅方向内側端部までの距離Ｙ１が
Ｙ１＜＝Ｔ１＋Ａ
である請求項２〜１２のいずれか一項に記載の冷蔵庫。
【請求項１４】
前記側壁の内面を形成する内箱と前記側壁の外面を形成する外箱との間に設けられた第２の真空断熱材と、
前記第２の真空断熱材と前記側壁の内面を形成する内箱との間に充填された発泡断熱材と、を備えた請求項１〜１３のいずれか一項に記載の冷蔵庫。
【請求項１５】
前記真空断熱材は、前記注入口と対向する部位に切り欠き、または開口が設けられている請求項２〜１４のいずれか一項に記載の冷蔵庫。
【請求項１６】
前記真空断熱材と対向する部位の前記第１の介在部材の厚さが１０ｍｍよりも小さい請求項１〜１５のいずれか一項に記載の冷蔵庫。
【請求項１７】
冷却用の冷凍サイクルを構成する配管を前記凸部に配置した請求項１〜１６のいずれか一項に記載の冷蔵庫。
【請求項１８】
制御用リード線あるいは電力供給用リード線を前記凸部に配置した請求項１〜１７のいずれか一項に記載の冷蔵庫。
【請求項１９】
前記第１の介在部材の厚さ／（前記第１の介在部材の厚さ＋前記真空断熱材の厚さ）が０．３以下である請求項１〜１８のいずれか一項に記載の冷蔵庫。
【請求項２０】
前記第１の介在部材が硬質ウレタンフォームであり、前記硬質ウレタンフォームの曲げ弾性率が１５ＭＰａ以上である請求項１〜１９のいずれか一項に記載の冷蔵庫。
【請求項２１】
前記側壁の厚さが２０ｍｍ以上４０ｍｍ以下であって、
前記第２の真空断熱材と前記側壁の内面を形成する内箱との間の前記発泡断熱材厚さが１０ｍｍよりも小さい請求項１４に記載の冷蔵庫。
【請求項２２】
前記貯蔵室の前面開口部を閉塞する扉を備え、
前記扉は、扉枠部と扉内板で形成された扉外郭と、前記扉外郭に設けられたガラス面材と、で形成されている請求項１〜２１のいずれか一項に記載の冷蔵庫。
【請求項２３】
前記ガラス面材と前記扉外郭とで形成される扉内部空間に設けられた第３の真空断熱材と、前記扉内部空間に充填あるいは塗布あるいは封入された発泡断熱材と、を備え、
前記ガラス面材と前記第３の真空断熱材との間の前記発泡断熱材の密度が６０ｋｇ／ｍ３よりも大きく、１００ｋｇ／ｍ３以下であり、厚さが１０ｍｍより小さい請求項２２に記載の冷蔵庫。
【請求項２４】
前記貯蔵室として冷蔵室と、冷凍室とを有し、
冷蔵室用冷却器と、冷凍室用冷却器と、を備え、
前記冷蔵室用冷却器が前記冷蔵室の下部の後方に設けられている請求項１〜２３のいずれか一項に記載の冷蔵庫。
【請求項２５】
前記貯蔵室内の温度で制御を行う制御装置と、
前記制御装置あるいは制御装置近傍に設けられ、外部機器との送受信を行う送受信手段と、を備えた請求項１〜２４のいずれか一項に記載の冷蔵庫。
【請求項２６】
前記貯蔵室の前面開口部を開閉自在に閉塞する扉を備え、
前記本体部または前記扉が無線または赤外線により外部機器と接続されて、外部機器と情報あるいは電力の送受信が可能となっている請求項２５に記載の冷蔵庫。
【請求項２７】
前記カバー部材が、前記風路の少なくとも一部を覆う風路カバー部と、前記背面壁あるいは前記凹部の少なくとも一部を覆う背面カバー部と、を備えた請求項１〜２６のいずれか一項に記載の冷蔵庫。
【請求項２８】
前記カバー部材が、前記側壁の少なくとも一部を覆う側面カバー部とを備えた請求項１〜２７のいずれか一項に記載の冷蔵庫。
【請求項２９】
前記貯蔵室が、上部に配置された冷蔵室、下部に配置された冷凍室、前記冷蔵室の下方で前記冷凍室の上方に配置された野菜室である請求項１〜２８のいずれか一項に記載の冷蔵庫。
【請求項３０】
前記冷蔵室の下には製氷室及び切替室が並列に配設され、前記野菜室は、前記並列に配設された製氷室及び切替室の下方で前記冷凍室の上方に設けられている請求項２９に記載の冷蔵庫。
【請求項３１】
前記貯蔵室は仕切り板によって区画されており、
前記仕切り板の内部空間には第３の真空断熱材が配置されてウレタンフォームが充填されている請求項２９または請求項３０に記載の冷蔵庫。  
【請求項３２】
前記真空断熱材は前記凸部と一部が重なるように配置されており、前記凸部において前記外箱、前記内箱と一体に形成されている請求項１〜３１のいずれか一項に記載の冷蔵庫。